(57)【要約】【課題】  表示窓部のシートの健全性を維持することができると共に、それ以外の部分におけるシボ感を長期にわたって維持することが可能な表示シートを提供すること。【解決手段】  表面にシボ部を一体に備えるシボシートと、上記シボシートの表面であって所定の表示窓として機能する箇所のシボ部に施された透明印刷部と、を具備した構成になっていて、表示窓の部分には透明印刷部が設けられていてシボシートの地肌が露出していないので、シボシートの損傷を防止して、安定した表示機能を提供することができ、又、表示窓以外の部分におけるシボ加工は印刷ではなく一体的に設けられているので、摩擦等によってシボ加工が剥離してしまうようなこともない。【選択図】  図５
2006162722.tif 000002
【特許請求の範囲】
【請求項１】
表面にシボ部を一体に備えるシボシートと、
上記シボシートの表面であって所定の表示窓として機能する箇所のシボ部に施された透明印刷部と、
を具備したことを特徴とする表示シート。
【請求項２】
請求項１記載の表示シートにおいて、
上記透明印刷部は所定箇所のシボ部に樹脂を塗布することにより凹凸を埋めて透明化したものであることを特徴とする表示シート。
【請求項３】
請求項１記載の表示シートにおいて、
上記シボシートの裏面側にはカラー印刷が施されていることを特徴とする表示シート。
【請求項４】
請求項３記載のシボシートにおいて、
上記カラー印刷の上からラミネート処理が施されていることを特徴とする表示シート。
【発明の詳細な説明】
【技術分野】
【０００１】
本発明は、例えば、各種機器の計器盤に取り付けられる表示シートに係り、特に、所望のシボ感を長期にわたって維持しつつ必要な表示機能を提供することができると共に該表示部の健全性を維持することができるように工夫したものに関する。
【背景技術】
【０００２】
例えば、車両の計器盤等の表示部においては、高級感を出すためにシボ加工を施した表示シートが使用されている。この種の表示シートは次のような構成になっている。まず、透明シートがあり、この透明シートの裏面側に所定のカラー印刷が施されている。一方、表面側においては、所定の領域を残してシボ印刷が施されている。上記所定の領域とは表示窓として機能する領域である。
【０００３】
上記構成の表示シートを計器盤の所定箇所に設置する。それによって、シボ加工が施されていない表示窓を介して、その下方に設けられている計器の表示を視認することができる。又、それ以外のシボ加工が施されている部分については所望のシボ感を提供することができる。
【０００４】
この種の表示シートを開示するものとして、例えば、特許文献１、特許文献２、特許文献３等がある。
【特許文献１】特開平１０−１６１０８７号公報
【特許文献２】特開平１１−３１３４１４号公報
【特許文献３】特開２０００−２８４７０２号公報
【発明の開示】
【発明が解決しようとする課題】
【０００５】
上記従来の構成によると次のような問題があった。
まず、表示窓の部分についてみてみると、該部分は透明シートの地肌が露出した状態になっており、その露出した部分が傷付き易いという問題があった。
又、表示窓の部分以外の箇所については、シボ加工がシボ印刷によって施されており、よって、繰り返しの使用による摩擦によって該シボ印刷が剥離してしまって、シボ感が損なわれてしまうという問題があった。
【０００６】
本発明はこのような点に基づいてなされたものでその目的とするところは、表示窓部のシートの健全性を維持することができると共に、それ以外の部分におけるシボ感を長期にわたって維持することが可能な表示シートを提供することにある。
【課題を解決するための手段】
【０００７】
上記目的を達成するべく本願発明の請求項１による表示シートは、表面にシボ部を一体に備えるシボシートと、上記シボシートの表面であって所定の表示窓として機能する箇所のシボ部に施された透明印刷部と、を具備したことを特徴とするものである。
又、請求項２による表示シートは、請求項１記載の表示シートにおいて、上記透明印刷部は所定箇所のシボ部に樹脂を塗布することにより凹凸を埋めて透明化したものであることを特徴とするものである。
又、請求項３による表示シートは、請求項１記載の表示シートにおいて、上記シボシートの裏面側にはカラー印刷が施されていることを特徴とするものである。
又、請求項４による表示シートは、請求項３記載のシボシートにおいて、上記カラー印刷の上からラミネート処理が施されていることを特徴とするものである。
【発明の効果】
【０００８】
以上述べたように、本願発明の請求項１による表示シートは、表面にシボ部を一体に備えるシボシートと、上記シボシートの表面であって所定の表示窓として機能する箇所のシボ部に施された透明印刷部と、を具備した構成になっているので、まず、表示窓の部分には透明印刷部が設けられていてシボシートの地肌が露出していないので、シボシートの損傷を防止して、安定した表示機能を提供することができる。又、表示窓以外の部分におけるシボ加工は印刷ではなく一体的に設けられているので、摩擦等によってシボ加工が剥離してしまうようなこともなく、長期にわたって所望のシボ感を提供することができる。
又、上記透明印刷部を所定箇所のシボ部に樹脂を塗布することにより凹凸を埋めて透明化するものとした場合には、比較的簡単な処理で確実な透明部を得ることができる。
又、上記シボシートの裏面側にカラー印刷を施した場合には表示の多様化を  図ることができる。
又、上記カラー印刷の上からラミネート処理を施した場合には該カラー印刷部の保護を図ることができる。
【発明を実施するための最良の形態】
【０００９】
以下、図１乃至図６を参照して本発明の一実施の形態を説明する。本実施の形態は本願発明をある種の計器盤に適用した例を示すものである。
まず、筐体１があり、この筐体１は、図２、図３に示すように、下ケース３と上ケース５とから構成されている。上記筐体１内には、図３に示すように、基板７が設置されている。この基板７上には、図示しない回路と、液晶表示部９と、複数個（この実施の形態の場合には３個）のスイッチ１１等が実装されている。又、上記基板７は固定ねじ部材１３によって上記上ケース３に固定されている。
【００１０】
上記上ケース３には表示シート２１が取り付けられている。上記表示シート２１は、図５、図６に示すような構成になっている。まず、シボシート２３がある。このシボシート２３はポリカーボネイトフィルムであり、その表面にはシボ加工が施されていて細かな凸部２４が一体的に成形されている。すなわち、金型に凹凸を設けておき、そのような金型を使用して熱を加えながらポリカーボネイトフィルムをプレスすることによって、細かな凸部２４を一体に備えたシボシート２３を得るものである。又、上記シボシート２３の裏面側には所定のカラー印刷２５が施されている。
【００１１】
又、上記カラー印刷２５の上からはラミネート２７が貼り付けられている。 そして、上記シボシート２３の表面側であって、前記液晶表示部９に相当する表示窓部の部分には透明印刷２９が施されている。すなわち、シボシート２３の表面には全面にわたってシボ加工が施されているので、そのままでは、不透明であって、その下に配置されている液晶表示部９の表示を視認することはできない。そこで、その部分に透明印刷２９を施すことにより透明化して、その下に配置されている液晶表示部９の表示を視認することを可能にしているものである。
【００１２】
上記透明印刷であるが、これは、図６に拡大して示すように、ある種の樹脂、この実施の形態ではウレタンアクリレート系樹脂{紫外線硬化樹脂（ＵＶ樹脂）の一種}を塗布することにより凸部２４相互間の凹部を埋め、それによって、透明化させるものである。又、上記表示シート２１には、基板７に実装されているスイッチ１１に対応して押圧部３１が形成されている。この押圧部３１を介して適宜押圧操作することによりスイッチ１１を動作させるものである。
【００１３】
以上本実施の形態によると次のような効果を奏することができる。
まず、表示窓部においては、シボ加工が施されているシボシート２３の表面に透明印刷を施しているので、シボシート２３自体に傷が付くようなことを防止することができる。それによって、安定した表示機能を長期にわたって維持することができる。
又、表示窓部以外の部分には印刷ではなく成形によるシボ加工が一体的に施されているので、摩擦等によってシボ加工が剥離してしまうようなことはなく、長期にわたって所望のシボ感を維持することができる。
【００１４】
尚、本発明は前記一実施の形態に限定されるものではない。
まず、図示した計器盤は一例であって、様々な機器の表示部、各種車両の表示部等に対して適用可能である。
シボ加工、透明印刷の手法については公知の様々な手法が適用可能である。
又、前記一実施の形態における表示シートを構成する各部材の材質は一例でありそれに限定されるようなものではない。
【産業上の利用可能性】
【００１５】
本発明は、例えば、各種機器の表示部に設けられる表示シートに係り、特に、所望のシボ感を確保しつつ必要な表示機能を提供することができるように工夫したものに関し、例えば、電動車椅子の操作部の表示盤等に好適である。  
【図面の簡単な説明】
【００１６】
【図１】本発明の一実施の形態を示す図で、表示装置の構成を示す平面図である。
【図２】本発明の一実施の形態を示す図で、表示装置の構成を示す側面図である。
【図３】本発明の一実施の形態を示す図で、図１のＩＩＩ−ＩＩＩ断面図である。
【図４】本発明の一実施の形態を示す図で、表示シートの構成を示す平面図である。
【図５】本発明の一実施の形態を示す図で、図４のＶ−Ｖ断面図である。
【図６】本発明の一実施の形態を示す図で、図５のＶＩ部を拡大して示す一部断面図である。
【符号の説明】
【００１７】
１  筐体
３  下ケース
５  上ケース
７  基板
９  液晶表示部
１１  スイッチ
１３  固定ねじ部材
２１  表示シート
２３  シボシート
２５  カラー印刷
２７  ラミネート
２９  透明印刷
【図１】
2006162722.tif 000003
【図２】
2006162722.tif 000004
【図３】
2006162722.tif 000005
【図４】
2006162722.tif 000006
【図５】
2006162722.tif 000007
【図６】
2006162722.tif 000008